(57)【要約】      （修正有）【課題】タイルを１枚ずつ正確に貼り付けるタイルの壁面構造の構築方法を提供することである。【解決手段】タイルの壁面構造１の構築方法は、上下の取付用スリット１３、１４を備えた取付ブロック１５を裏面に設けたタイル６を、コンクリートの壁面３の水平方向に適宜間隔ごとに設置したレール５に、前記取付ブロック１５の上側の取付用スリット１３にファスナーの下向き突起８を嵌合して水平方向に連続的に固定するとともに、前記タイル６の上側のレール５に上記と同じ方法で他のタイル６を連続的に取り付けて、該他のタイル６の取付ブロック１５の下側の取付用スリット１４に前記ファスナーの上向き突起９を嵌合することである。【選択図】    図１
2004190384.tif 000002
【特許請求の範囲】
【請求項１】
上下の取付用スリットを備えた取付ブロックを裏面に設けたタイルを、コンクリートの壁面の水平方向に適宜間隔ごとに設置したレールに、前記取付ブロックの上側の取付用スリットにファスナーの下向き突起を嵌合して水平方向に連続的に固定するとともに、前記タイルの上側のレールに上記と同じ方法で他のタイルを連続的に取り付けて、該他のタイルの取付ブロックの下側の取付用スリットに前記ファスナーの上向き突起を嵌合することを特徴とするタイルの壁面構造の構築方法。
【請求項２】
レールの設置前にコンクリートの壁面に塗膜防水を施すことを特徴とする請求項１に記載のタイルの壁面構造の構築方法。
【請求項３】
最下段のタイルにおける取付ブロックの下側の取付用スリットには最下段のレールの突出片が嵌合されたことを特徴とする請求項１または２に記載のタイルの壁面構造の構築方法。
【請求項４】
ファスナーの下向き突起を調整用パッキンとともに上側の取付用スリットに押し込んで接着剤で接着することを特徴とする請求項１〜３のいずれかに記載のタイルの壁面構造の構築方法。
【発明の詳細な説明】
【０００１】
【発明の属する技術分野】
本発明はタイルの壁面構造の構築方法に関するものである。
【０００２】
【従来の技術】
従来、タイルの壁面構造におけるタイルの施工方法は、図４に示すように、躯体工事とともに施工する先付工法が一般的である。この工法は、内側にタイルを取り付けた型枠にコンクリートを打設して、該コンクリート２２とタイル２３とを一体にするものである。しかし、この工法はコンクリート２２が型枠内にうまく充填されているかいなかの確認ができないため、均質な品質を保持できないという問題があった。また１階躯体の工事着手前にタイルの製作を完了させるため、工期的な余裕も必要になっていた。
そこで、この先付工法に代わって、特開平９−２９６５８３号公報の乾式取付工法が開発されている。
【０００３】
【特許文献１】
特開平９−２９６５８３号公報（図１）
【０００４】
【発明が解決しようとする課題】
しかし、上記の乾式取付工法は、タイルを貼ったパネルを取り付けるものであり、タイルを１枚ずつ正確に貼り付けるものではない。
【０００５】
本発明はこれらの問題に鑑みてなされたものであり、その目的は、タイルを１枚ずつ正確に貼り付けるタイルの壁面構造の構築方法を提供することである。
【０００６】
【課題を解決するための手段】
以上の課題を解決するためのタイルの壁面構造の構築方法は、上下の取付用スリットを備えた取付ブロックを裏面に設けたタイルを、コンクリートの壁面の水平方向に適宜間隔ごとに設置したレールに、前記取付ブロックの上側の取付用スリットにファスナーの下向き突起を嵌合して水平方向に連続的に固定するとともに、前記タイルの上側のレールに上記と同じ方法で他のタイルを連続的に取り付けて、該他のタイルの取付ブロックの下側の取付用スリットに前記ファスナーの上向き突起を嵌合する構成である。またレールの設置前にコンクリートの壁面に塗膜防水を施すことを含む。また最下段のタイルにおける取付ブロックの下側の取付用スリットには最下段のレールの突出片が嵌合されたことを含む。またファスナーの下向き突起を調整用パッキンとともに上側の取付用スリットに押し込んで接着剤で接着することを含むものである。
【０００７】
コンクリートの壁面にファスナーによってタイルを１枚ずつ正確に取り付けることができる。塗膜防水によりコンクリートの壁面からの水の浸入を防ぐことができる。最下段のタイルが最下段のレールの突出片で支持されて、しっかりと固定されているため、上側へのタイルの設置が簡単かつ精度良くできる。また上側の取付用スリットへの調整用パッキンの押し込みにより、タイルの傾きや取り付け状態を調整することができるとともに、この調整後の接着剤の接着で設置精度を高めることができる。
【０００８】
【発明の実施の形態】
以下、本発明のタイルの壁面構造の構築方法の実施の形態を図面に基づいて詳細に説明する。はじめに、この工法によって形成されるタイルの壁面構造について説明する。
【０００９】
図１は、本発明の方法によって構築されたタイルの壁面構造１であり、この壁面構造１は塗膜防水２が施されたコンクリートの壁面３に設置された角形の縦パイプ４にわたって適宜間隔ごとに水平のレール５が設置され、このレール５ごとにタイル６がファスナー７で取り付けられて構成されている。
【００１０】
このタイル６を固定するファスナー７は、図１の（２）に示すように、下向き突起８および上向き突起９を備えた水平片１０と、レール５にネジ止めされる垂直片１１とから構成されている。
【００１１】
またタイル６は３００×１００ｍｍの大型のものであり、同図の（３）に示すように、周面１２が裏面側に向かって漸次広がる方向に傾斜している。またタイル６の裏面には、上下の取付用スリット１３、１４を備えた取付ブロック１５が形成され、これが一方の角部側にずれた状態、すなわちタイル６の上端から取付ブロック１５の上端１５ａが、また側端から取付ブロック１５の側端１５ｂがそれぞれ突出した状態で取り付けられ、これらの突出部１５ａ、１５ｂが他のタイルの取付け代１６、１７となっている。
【００１２】
これらの取付け代１６、１７ではタイル６の端部同士が接合されて、その上下左右の接合部にＶ字形の目地溝（前側が開き奥側が密接された）２０が形成されている。また、各タイル６は上部がファスナーの下向き突起８で、また下部がファスナーの上向き突起９でそれぞれ固定されている。上記の下向き突起８は楔形の調整パッキン１８とともに上側の取付用スリット１３に嵌入されて接着剤１９で接着されている。
またファスナーの水平片１０には取付ブロック１５が載置され、その下側の取付用スリット１４に上向き突起９が嵌入されている。
【００１３】
上記の調整パッキン１８はゴム製であり、下向き突起８とともに取付用スリット１３に押し込まれて、タイル６のがたつきと垂直度を調整するものである。一方、最下段のタイル６の下部は、下側の取付用スリット１４に嵌入した最下段におけるレールの突出片２１で固定されている。
【００１４】
次に、上記の壁面構造１の構築方法について説明する。まず、タイル６を取り付けるコンクリートの壁面３に液体状のポリクロロプレン、ポリウレタンなどの合成ゴム系または酢酸ビニル、アクリル酸エステル、エポキシなどの合成樹脂系の防水材料をスプレーで複数回塗布して塗膜防水２を施す。
【００１５】
次に、この塗膜防水２が施された壁面３に角形の縦パイプ４を適宜間隔ごとに設置するとともに、この縦パイプ４の水平方向にわたってレール５を適宜間隔ごとに設置する。そして、この１レールごとに一列のタイル６が設置されるが、最下段には突出片２１が形成されたレール５を設置する。
【００１６】
次に、上記の最下段のレール５から上部側のレール５にかけて順次上記のタイル６を上記のファスナー７で取り付ける。はじめに、最下段のレール５にタイル６を、突出片２１が下側の取付用スリット１４に嵌入するようにして設置する。
【００１７】
次に、２段目のレール５にファスナー７を適宜間隔をもってネジ止めし、その下向き突起８を上側の取付用スリット１３に嵌入する。このときタイル６はがたついた状態であるため、下向き突起８と取付用スリット１３との隙間に楔形の調整パッキン１８を押し込んで、がたつきをなくすとともにタイル６の垂直度を調整する。この調整後に下向き突起８と調整パッキン１８とを接着剤１９で接着してタイル６を固定する。
【００１８】
この方法で最下段のレール５の横方向にタイル６を連続して設置すると、その側端同士が取付け代１６で嵌合されて、その接合部にＶ字形の目地溝（前側が開き奥側が密接された）２０が形成される。このときファスナー７の水平片１０は取付ブロック１５の上面に設置され、その上向き突起９が上側に突起した状態になっている。
【００１９】
次に、このタイル６の上側に他のタイル６を設置するが、前記と同じように、他のタイル６の取付ブロック１５をファスナーの水平片１０に設置するとともに、その上向き突起９を下側の取付用スリット１４に嵌合する。そして、前記と同じ方法で他のタイル６の上部をファスナーの下向き突起９で固定すると、タイル６の上下端同士が取付け代１７で嵌合されて、その接合部に上記と同じＶ字形の目地溝２０が形成される。
【００２０】
この方法で２段目のレール５の横方向にタイル６を連続して設置する。そして、上記と同じ方法で上側のレール５にかけて順次タイル６を設置すると、図１に示すようなタイルの壁面構造１が完成する。
【００２１】
【発明の効果】
タイルを１枚ずつ正確に貼り付けてタイルの壁面構造を構築することができる。
【図面の簡単な説明】
【図１】（１）はタイルの壁面構造の斜視図、（２）はファスナーの斜視図、（３）はタイルの斜視図である。
【図２】（１）はタイルの壁面構造の縦方向の断面図、（２）はファスナーの下向き突起がタイルの上側の取付用スリットに嵌合した断面図、（３）は同横方向の断面図である。
【図３】（１）はコンクリートの壁面にレールを設置した斜視図、（２）は最下段のレールにタイルを設置した斜視図である。
【図４】従来のタイルの施工方法を示す断面図である。
【符号の説明】
１  壁面構造
２  塗膜防水
３  壁面
４  縦パイプ
５  レール
６、２３  タイル
７  ファスナー
８  下向き突起
９  上向き突起
１０  水平片
１１  垂直片
１２  周面
１３  上側の取付用スリット
１４  下側の取付用スリット
１５  取付ブロック
１６、１７  取付け代
１８  調整パッキン
１９  接着剤
２０  目地溝
２１  突出片
２２  コンクリート
【図１】
2004190384.tif 000003
【図２】
2004190384.tif 000004
【図３】
2004190384.tif 000005
【図４】
2004190384.tif 000006